(57)【特許請求の範囲】
【請求項１】
少なくとも前面に開口部を備えた箱体本体と、該箱体本体の上面部を形成する天井部材と、前記箱体本体の前記開口部を被覆する扉体と、該扉体と前記箱体本体とを蝶番により蝶着して成る電気機器収納用箱体において、前記天井部材は前記箱体本体の上面部となる平板と、該平板の前後左右側端部を延設した側面板で形成し、該側面板の隣接する一方の端部を延設して舌片を形成し、他方の端部に前記舌片と略同形状の切欠を形成し、前記平板の側端部で前記側面板を折曲し、前記側面板の端部で前記舌片を折曲し、前記舌片を前記切欠に一致させた前記天井部材を前記箱体本体に嵌合させ、前記箱体本体に前記天井部材の側面板及び舌片をスポット溶接で接合したことを特徴とする電気機器収納用箱体。
【発明の詳細な説明】
【０００１】
【産業上の利用分野】
本発明は、配電盤、分電盤、制御盤などの電気機器収納用箱体において、箱体本体と天井部材の接合構造に関する。
【０００２】
【従来の技術】
従来、図６〜図９に示すように電気機器収納用箱体６１は、少なくとも前面に開口部６２を備えた箱体本体６３と、箱体本体６３の上面部を形成する天井部材６４と、箱体本体６３の開口部６２を被覆する扉体６５と、扉体６５と箱体本体６３とを蝶番６６により蝶着して構成している。天井部材６４は箱体本体６３の上面部となる平板６７と、平板６７の前後左右側端部を延設した側面板６８，６８，６８，６８で形成され、平板６７の側端部で側面板６８を略直角に折曲して、隣接する側面板６８，６８で形成する稜を全溶接６９して接合していた。そして、天井部材６４を箱体本体６３の上面部に嵌合させて、箱体本体６３と天井部材６４の側面板６８を溶接して接合していた。また、溶接した際に全溶接６９の部分が盛り上がってしまうため、全溶接６９の部分を稜に沿って丸く削り、外観を良くしていた。
【０００３】
【発明が解決しようとする課題】
しかしながら、接合する側面板の間に隙間を作らないように、そして溶接部分を溶かしすぎないように溶接しなければならず、また、溶接部分を丸める作業は非常に困難で溶接には熟練の技術を必要としていた。特に板厚が薄い場合には、溶接時に板が溶けやすく、また、溶接部分を削る際に削り過ぎることがあり、削り過ぎた場合は溶接部分に十分な強度が無くなり、稜に力が加わった際に溶接部分に割れが生じることがあった。逆に削り足らずに角が残った場合は塗料が十分に付着せずに錆びやすくなるという欠点があった。更に、溶接部分は巣ができるために仕上がりが悪く、また、溶接歪みによる箱体本体の品質低下を招いていた。
【０００４】
【課題を解決するための手段】
上記従来の電気機器収納用箱体の問題点に鑑み、本発明の目的は、溶接作業に熟練の技術を必要とすることがないとともに、塗料が付着しやすくて錆びにくく、而も丈夫で外観の良好な電気機器収納用箱体を提供するもので、その構造は、少なくとも前面に開口部を備えた箱体本体と、箱体本体の上面部を形成する天井部材と、箱体本体の開口部を被覆する扉体と、扉体と箱体本体とを蝶番により蝶着して成る電気機器収納用箱体において、天井部材は箱体本体の上面部となる平板と、平板の前後左右側端部を延設した側面板で形成し、側面板の隣接する一方の端部を延設して舌片を形成し、他方の端部に舌片と略同形状の切欠を形成し、平板の側端部で側面板を折曲し、側面板の端部で舌片を折曲し、舌片を切欠に一致させた天井部材を箱体本体に嵌合させ、箱体本体に天井部材の側面板及び舌片をスポット溶接で接合したことである。
【０００５】
【発明の実施の形態】
天井部材は、箱体本体の上面部となる平板と、平板の前後左右側端部を延設した側面板で形成し、側面板の隣接する一方の端部を略三角形に延設して舌片を形成し、他方の端部に舌片と略同形状の切欠を形成し、平板の側端部で側面板を折曲し、側面板の端部で舌片を折曲し、舌片を切欠に一致させた天井部材を箱体本体に嵌合させ、箱体本体に天井部材の側面板及び舌片をスポット溶接で接合する。
【０００６】
【実施例】
本発明に係る電気機器収納用箱体の実施例を図１〜図５の添付図面に基づいて説明する。
【０００７】
図１に示すように電気機器収納用箱体１は、少なくとも前面に開口部２を備えた箱体本体３と、箱体本体３の上面部を形成する天井部材４と、箱体本体３の開口部２を被覆する扉体５と、扉体５と箱体本体と３を蝶番６により蝶着して構成している。
【０００８】
図２に示すように天井部材４は、箱体本体３の上面部となる平板７と、平板７の前後左右側端部を延設した側面板８，８，８，８で形成し、側面板８，８の隣接する一方の端部を略三角形に延設して舌片９を形成し、他方の端部に舌片９と略同形状の切欠１０を形成している。
【０００９】
そして、図３に示すように平板７の側端部で側面板８を略直角に折曲し、側面板８の端部で舌片９を内側方向に略直角に折曲し、舌片９を切欠１０に一致させる。この天井部材４を箱体本体３に嵌合させ、箱体本体３に天井部材４の側面板８及び舌片９を適宜間隔を設けてスポット溶接１１して接合する。また、側面板８と舌片９の間にできた隙間はパテで埋めて平らに削る。
【００１０】
尚、本実施例において天井部材の舌片の形状を略三角形に形成したが、図４に示すように天井部材２４の舌片２９を円弧状に形成し、舌片２９と対向する側面板２８に舌片２９と略同形状の切欠３０を形成したり、他の形状に形成しても何ら問題なく、本発明の趣旨を逸脱しない範囲で適宜変更可能である。
【００１１】
また、本実施例において天井部材は、四隅全部に舌片と、舌片と対向する切欠を形成しているが、少なくとも一隅に舌片と、舌片と対向する切欠を設けて天井部材を形成しても何ら問題なく、また、図５に示すように箱体本体４３の開口部４２側となる天井部材４４の側面板４８を延設して箱体本体４３の水切り溝５２の一部に形成しても良く、本発明の趣旨を逸脱しない範囲で適宜変更可能である。
【００１２】
また、本実施例において、天井部材の側面板と舌片の隙間をパテで埋めているが、溶接で隙間を埋めて、盛り上がった部分は削って平らにしても良い。
【００１３】
【発明の効果】
以上のように本発明に係る電気機器収納用箱体は、少なくとも前面に開口部を備えた箱体本体と、箱体本体の上面部を形成する天井部材と、箱体本体の開口部を被覆する扉体と、扉体と箱体本体とを蝶番により蝶着して成る電気機器収納用箱体において、天井部材は箱体本体の上面部となる平板と、平板の前後左右側端部を延設した側面板で形成し、側面板の隣接する一方の端部を延設して舌片を形成し、他方の端部に舌片と略同形状の切欠を形成し、平板の側端部で側面板を折曲し、側面板の端部で舌片を折曲し、舌片を切欠に一致させた天井部材を箱体本体に嵌合させ、箱体本体に天井部材の側面板及び舌片をスポット溶接で接合したことにより、溶接作業に熟練の技術を必要とすることがなく、稜を削る作業も必要としない。また、稜を折曲して形成しているために丈夫で外観が向上するとともに、塗料が付着しやすく、錆びにくくなるという効果がある。
【図面の簡単な説明】
【図１】本発明に係る電気機器収納用箱体を示す斜視図である。
【図２】本発明に係る天井部材の展開図である。
【図３】本発明に係る天井部材を箱体本体に接合に接合した状態を示す要部斜視図である。
【図４】本発明に係る電気機器収納用箱体の変形実施例を示す天井部材の展開図である。
【図５】本発明に係る電気機器収納用箱体の変形実施例を示す斜視図である。
【図６】従来の電気機器収納用箱体を示す斜視図である。
【図７】従来の天井部材を示す展開図である。
【図８】従来の天井部材の側面板を溶接した状態を示す要部斜視図である。
【図９】  従来の天井部材の稜を削った状態を示す要部斜視図である。
【符号の説明】
１      電気機器収納用箱体
３      箱体本体
４      天井部材
７      平板
８      側面板
９      舌片
１０    切欠
１１    スポット溶接
【図１】
0003813382.tif 000002
【図２】
0003813382.tif 000003
【図３】
0003813382.tif 000004
【図４】
0003813382.tif 000005
【図５】
0003813382.tif 000006
【図６】
0003813382.tif 000007
【図７】
0003813382.tif 000008
【図８】
0003813382.tif 000009
【図９】
0003813382.tif 000010